(57)【要約】【課題】本発明は、タッチパネルのパッド構造を改善させることで接着力を向上させたタッチパネル及びタッチ感知装置に関する。【解決手段】本発明は、少なくとも一つの基板と、上記少なくとも一つの基板の実装領域に形成されてユーザーのタッチを検出するセンサ部と、上記センサ部の各センサノードから検出信号を伝達する配線部と、上記配線部の検出信号がそれぞれ入力される複数のパッドを備え、上記複数のパッドは少なくとも２つのパッドが少なくとも２列に配列される接続部と、を含むタッチパネル及びタッチ感知装置を提案する。【選択図】図１
2015138543.tif 000002
【特許請求の範囲】
【請求項１】
少なくとも一つの基板と、
前記少なくとも一つの基板の実装領域に形成されてユーザーのタッチを検出するセンサ部と、
前記センサ部の各センサノードから検出信号を伝達する配線部と、
前記配線部の検出信号がそれぞれ入力される複数のパッドを備え、前記複数のパッドは少なくとも２つのパッドが少なくとも２列に配列される接続部と、を含む、タッチパネル。
【請求項２】
前記接続部は、前記少なくとも一つの基板から延長形成される、請求項１に記載のタッチパネル。
【請求項３】
前記基板は、複数備えられ、
前記センサ部及び配線部は、複数の基板のそれぞれに形成され、
前記接続部は、複数の各基板から延長形成され、複数の各基板の配線部の検出信号がそれぞれ入力される複数のパッドをそれぞれ備え、前記複数のパッドは該当する接続部に少なくとも２つのパッドが少なくとも１列に配列される、請求項１または２に記載のタッチパネル。
【請求項４】
前記複数の基板間にはラミネーション（ｌａｍｉｎａｔｉｏｎ）層が形成される、請求項３に記載のタッチパネル。
【請求項５】
前記配線部は、前記接続部の少なくとも２つのパッドの間に形成されて該当するパッドと連結される、請求項１から４の何れか1項に記載のタッチパネル。
【請求項６】
少なくとも一つの基板を有する第１基板部、前記第１基板部の少なくとも一つの基板の実装領域に形成されてユーザーのタッチを検出するセンサ部、前記センサ部の各センサノードから検出信号を伝達する配線部、及び前記配線部の検出信号がそれぞれ入力される複数のパッドを備え、前記複数のパッドは少なくとも２つのパッドが少なくとも２列に配列される第１接続部を含むタッチパネルと、
前記第１接続部と電気的に連結されて検出信号を信号処理する制御部と、を含む、タッチ感知装置。
【請求項７】
前記第１接続部は、前記少なくとも一つの基板から延長形成される、請求項６に記載のタッチ感知装置。
【請求項８】
前記第１基板部は、複数の基板を備え、
前記センサ部及び配線部は、複数の各基板に形成され、
前記第１接続部は、複数の各基板から延長形成され、複数の各基板の配線部の検出信号がそれぞれ入力される複数のパッドをそれぞれ備え、前記複数のパッドは該当する接続部に少なくとも２つのパッドが少なくとも１列に配列される、請求項６または７に記載のタッチ感知装置。
【請求項９】
前記複数の基板間にはラミネーション（ｌａｍｉｎａｔｉｏｎ）層が形成される、請求項８に記載のタッチ感知装置。
【請求項１０】
前記配線部は、前記第１接続部の少なくとも２つのパッドの間に形成されて該当するパッドと連結される、請求項６から９の何れか1項に記載のタッチ感知装置。
【請求項１１】
前記制御部は、少なくとも一つの基板を有する第２基板部、前記第２基板部の少なくとも一つの基板から延長形成されて前記第１接続部と電気的に連結される複数のパッドを有する第２接続部、及び前記第２基板部の少なくとも一つの基板に実装されて前記第２接続部によって伝達された検出信号を信号処理してユーザーのタッチを感知する信号処理部を含む、請求項６から１０の何れか1項に記載のタッチ感知装置。
【請求項１２】
前記制御部は、複数の基板を有する第２基板部、前記第２基板部の複数の各基板から延長形成されて前記第１接続部とそれぞれ電気的に連結される複数のパッドを有する第２接続部、及び前記第２基板部の複数の基板のうち少なくとも一つの基板に実装されて複数の各パッドから前記第２接続部に伝達された検出信号を信号処理してユーザーのタッチを感知する信号処理部を含む、請求項８に記載のタッチ感知装置。
【請求項１３】
前記第１接続部の複数のパッドと前記第２接続部の複数のパッドとの間には接続部材が備えられる、請求項１１または１２に記載のタッチ感知装置。
【請求項１４】
前記接続部材は、はんだボール及びレジンで構成されたＡＣＦ（Ａｎｉｓｏｔｒｏｐｉｃ  Ｃｏｎｄｕｃｔｉｖｅ  Ｆｉｌｍ）である、請求項１３に記載のタッチ感知装置。
【発明の詳細な説明】
【技術分野】
【０００１】
本発明は、接着力を増加させたタッチパネル及びタッチ感知装置に関する。
【背景技術】
【０００２】
デジタル技術を用いるコンピュータの発達に伴い、コンピュータ補助装置もともに開発されており、個人用コンピュータや携帯用伝送装置、その他の個人専用情報処理装置などはキーボード、マウスのような多様な入力装置（Ｉｎｐｕｔ  Ｄｅｖｉｃｅ）を用いてテキスト及びグラフィック処理をする。
【０００３】
しかし、情報化社会が急激に発展するにつれ、コンピュータの用途も次第に拡大してきており、現在のような入力装置としての役割を担うキーボード及びマウスだけでは効率的な製品の駆動が困難であるという問題点が挙がっている。そのため、簡単で誤操作が少なく、だれでも容易に情報入力が可能な機器の必要性が高まっている。
【０００４】
また、入力装置に係る技術は、一般的な機能を満たす水準から高信頼性や耐久性、革新性、設計及び加工関連技術などへとその関心が変わりつつある。このような目的を達成するために、テキストやグラフィックなどの情報入力が可能な入力装置としてタッチパネル（Ｔｏｕｃｈ  ｓｃｒｅｅｎ）が開発された。
【０００５】
タッチパネルとは、電子手帳や液晶表示装置（ＬＣＤ、Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）などの平板ディスプレイ装置及びＣＲＴ（Ｃａｔｈｏｄ  Ｒａｙ  Ｔｕｂｅ）のような画像表示装置の表示面に設置され、ユーザーが画像表示装置を見ながら所望する情報を選択する際に用いられる道具である。
【０００６】
タッチパネルは、抵抗膜方式（Ｒｅｓｉｓｔｉｖｅ  Ｔｙｐｅ）、静電容量方式（Ｃａｐａｃｉｔｉｖｅ  Ｔｙｐｅ）、電気磁場方式（Ｅｌｅｃｔｒｏ−Ｍａｇｎｅｔｉｃ  Ｔｙｐｅ）、ソー方式（ＳＡＷ  Ｔｙｐｅ、Ｓｕｒｆａｃｅ  Ａｃｏｕｓｔｉｃ  Ｗａｖｅ  Ｔｙｐｅ）及びインフラレッド方式（Ｉｎｆｒａｒｅｄ  Ｔｙｐｅ）に分けられる。
【０００７】
このような多様な方式のタッチパネルは、信号増幅の問題、解像度の差異、設計及び加工技術の難易度、光学的特性、電気的特性、機械的特性、耐環境特性、入力特性、耐久性及び経済性を考慮して電子製品に採用される。現在、最も広い範囲の分野で用いられる方式のタッチパネルとしては、抵抗膜方式のタッチパネル及び静電容量方式のタッチパネルが挙げられる。
【０００８】
このようなタッチパネルは、下記の先行技術文献に記載された発明を例に挙げることができる。
【０００９】
下記の先行技術文献に記載されたタッチパネルの構造について説明すると、基板と、基板に形成された電極と、電極から延長されて基板の一端に集結された電極配線と、電極配線及び軟性印刷回路基板（Ｆｌｅｘｉｂｌｅ  Ｐｒｉｎｔｅｄ  Ｃｉｒｃｕｉｔ  Ｂｏａｒｄ、以下、「ＦＰＣＢ」とする）によって連結されたコントローラと、を含むことで形成される。
【００１０】
ここで、ＦＰＣＢは、電極で発生した信号を電極配線を経てコントローラに伝達する役割をする。このとき、ＦＰＣＢの信号伝達信頼性を確保するためにはＦＰＣＢを電極配線と確実に接続させる必要がある。
【００１１】
しかし、タッチパネルのサイズが大型化されてチャンネル数が増加するのに対し、従来の接続構造では接着力が低下するという問題点がある。
【先行技術文献】
【特許文献】
【００１２】
【特許文献１】韓国公開特許第１０−２０１１−０１０７５９０号公報
【発明の概要】
【発明が解決しようとする課題】
【００１３】
本発明の課題は、上記した問題点を解決するためのもので、タッチパネルのパッド構造を改善させることで接着力を向上させたタッチパネル及びタッチ感知装置を提案することにある。
【課題を解決するための手段】
【００１４】
上記した本発明の課題を解決すべく、本発明の一つの技術的側面は、少なくとも一つの基板と、上記少なくとも一つの基板の実装領域に形成されてユーザーのタッチを検出するセンサ部と、上記センサ部の各センサノードから検出信号を伝達する配線部と、上記配線部の検出信号がそれぞれ入力される複数のパッドを備え、上記複数のパッドは少なくとも２つのパッドが少なくとも２列に配列される接続部と、を含むタッチパネルを提案する。
【００１５】
本発明の一つの技術的な側面によると、上記接続部は、上記少なくとも一つの基板から延長形成されることができる。
【００１６】
本発明の一つの技術的な側面によると、上記基板は複数備えられ、上記センサ部及び配線部は複数の基板にそれぞれ形成され、上記接続部は、複数の基板からそれぞれ延長形成され、複数の基板それぞれの配線部の検出信号がそれぞれ入力される複数のパッドをそれぞれ備え、上記複数のパッドは該当する接続部に少なくとも２つのパッドが少なくとも１列に配列されることができる。
【００１７】
本発明の一つの技術的な側面によると、上記複数の基板間にはラミネーション（ｌａｍｉｎａｔｉｏｎ）層が形成されることができる。
【００１８】
本発明の一つの技術的な側面によると、上記配線部は、上記接続部の少なくとも２つのパッドの間に形成されて該当するパッドと連結されることができる。
【００１９】
上述した本発明の課題を解決すべく、本発明の他の技術的側面は、少なくとも一つの基板を有する第１基板部、上記第１基板部の少なくとも一つの基板の実装領域に形成されてユーザーのタッチを検出するセンサ部、上記センサ部の各センサノードから検出信号を伝達する配線部、及び上記配線部の検出信号がそれぞれ入力される複数のパッドを備え、上記複数のパッドは少なくとも２つのパッドが少なくとも２列に配列される第１接続部を含むタッチパネルと、上記第１接続部と電気的に連結されて検出信号を信号処理する制御部と、を含むタッチ感知装置を提案する。
【００２０】
本発明のさらに他の技術的な側面によると、上記制御部は、少なくとも一つの基板を有する第２基板部、上記第２基板部の少なくとも一つの基板から延長形成されて上記第１接続部と電気的に連結される複数のパッドを有する第２接続部、及び上記第２基板部の少なくとも一つの基板に実装されて上記第２接続部によって伝達された検出信号を信号処理してユーザーのタッチを感知する信号処理部を含むことができる。
【００２１】
本発明のさらに他の技術的な側面によると、上記制御部は、複数の基板を有する第２基板部、上記第２基板部の複数の基板からそれぞれ延長形成されて上記第１接続部とそれぞれ電気的に連結される複数のパッドを有する第２接続部、及び上記第２基板部の複数の基板のうち少なくとも一つの基板に実装されて複数の各パッドから上記第２接続部に伝達された検出信号を信号処理してユーザーのタッチを感知する信号処理部を含むことができる。
【００２２】
本発明のさらに他の技術的な側面によると、上記第１接続部の複数のパッドと上記第２接続部の複数のパッドとの間には接続部材が備えられることができる。
【００２３】
本発明のさらに他の技術的な側面によると、上記接続部材は、はんだボール及びレジンで構成されたＡＣＦ（Ａｎｉｓｏｔｒｏｐｉｃ  Ｃｏｎｄｕｃｔｉｖｅ  Ｆｉｌｍ）であることができる。
【発明の効果】
【００２４】
本発明によると、パッドが複層または複数の行に形成されてＡＣＦ（Ａｎｉｓｏｔｒｏｐｉｃ  Ｃｏｎｄｕｃｔｉｖｅ  Ｆｉｌｍ）の接着面積を拡大することができるため、接着力及び耐久性が向上するという効果がある。
【図面の簡単な説明】
【００２５】
【図１】本発明のタッチパネルの概略的な斜視図である。
【図２ａ】本発明のタッチパネルに採用された接続部の正面図である。
【図２ｂ】本発明のタッチパネルに採用された接続部の側面図である。
【図３】本発明のタッチ感知装置の概略的な斜視図である。
【図４ａ】本発明のタッチパネルの接続部と制御部の接続部が結合された図面である。
【図４ｂ】本発明のタッチパネルの接続部と制御部の接続部が結合された図面である。
【図５】本発明のタッチパネルの他の実施形態の概略的な分解斜視図である。
【図６ａ】図５に示された本発明のタッチパネルに採用された接続部の正面図である。
【図６ｂ】図５に示された本発明のタッチパネルに採用された接続部の側面図である。
【図７ａ】図５に示された本発明のタッチパネルの接続部と制御部の接続部が結合された図面である。
【図７ｂ】図５に示された本発明のタッチパネルの接続部と制御部の接続部が結合された図面である。
【発明を実施するための形態】
【００２６】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２７】
なお、明細書の全体において、ある部分が他の部分と「連結」されているとする場合、これは「直接的に連結」されている場合だけでなく、その間に他の構成を介して「間接的に連結」されている場合も含む。
【００２８】
さらに、ある構成要素を「含む」とすることは、特別に反対される記載がない限り、他の構成要素を除くのではなく、他の構成要素をさらに含むことができるということを意味する。
【００２９】
以下では、図面を参照して本発明を詳細に説明する。
【００３０】
図１は本発明のタッチパネルの概略的な斜視図である。
【００３１】
図１を参照すると、本発明のタッチパネル１００は、基板１１０、センサ部１２０、配線部１３０、及び接続部１４０を含むことができる。
【００３２】
基板１１０は、一定面積の実装領域を有することができ、上記実装領域にセンサ部１２０及び配線部１３０が形成されることができる。
【００３３】
センサ部１２０は複数のセンサノードを備えることができ、ユーザーのタッチが入力を受けたセンサノードは検出信号を提供することができる。センサ部１２０は、静電式または感圧式の方式でユーザーのタッチ入力を受けることができる。
【００３４】
配線部１３０は、センサ部１２０の複数のセンサノードと連結されて各センサノードの検出信号を外部に伝達することができる。
【００３５】
接続部１４０は、基板１１０の一側面から延長されて形成されることができ、配線部１３０の各配線と電気的に連結される複数のパッドＰ１〜Ｐ６を含むことができる。
【００３６】
図２ａ及び図２ｂは本発明のタッチパネルに採用された接続部の正面図及び側面図である。
【００３７】
図２ａを参照すると、複数のパッドＰ１〜Ｐ６は、少なくとも２つのパッド（Ｐ１、Ｐ２）、（Ｐ３、Ｐ４）、（Ｐ５、Ｐ６）が少なくとも２列に配列されることができ、図面に示されているように、例えば、総６つのパッドである場合、２つのパッドが３列に配列されることができるが、これに限定されず、多様な構造で配列されることができる。また、図面に示されてはいないが、例えば、３つまたは４つのパッドが２列に配列されることもでき、４つ以上の複数のパッドが２列以上に配列されることもできる。
【００３８】
複数のパッドＰ１〜Ｐ６は、図２ｂに示されているように、基板１１０から延長形成された延長部１１１上に配列されることができる。
【００３９】
上記の通り、本発明のタッチパネルに採用された接続部１４０は、複数のパッドＰ１〜Ｐ６が少なくとも２列以上に配列されることにより、延長部１１１の面積及び延長部１１１に配列された複数のパッドＰ１〜Ｐ６の面積によって接合力を向上させることができる。
【００４０】
図３は本発明のタッチ感知装置の概略的な斜視図である。
【００４１】
図３を参照すると、本発明のタッチ感知装置は、タッチパネル１００及び制御部１０００を含むことができる。
【００４２】
タッチパネル１００に関する詳細は、図１、図２ａ及び図２ｂに示された構造及びその説明と同一であるため、以下では省略する。
【００４３】
制御部１０００は、タッチパネル１００の第１接続部１４０と接続される第２接続部、及び上記第２接続部から伝達された検出信号を信号処理してユーザーのタッチを認識する信号処理部１２００を含むことができる。
【００４４】
上記第２接続部はタッチパネル１００の第１基板部１１０と区分される第２基板部１１００に形成されることができ、信号処理部１２００は第２基板部１１００の実装領域に形成されることができる。
【００４５】
図４ａ及び図４ｂは本発明のタッチパネルの接続部と制御部の接続部が結合された図面である。
【００４６】
図４ａ及び図４ｂを参照すると、タッチパネルの第１接続部１４０は、制御部１０００の第２接続部１３００と電気的に接続されることができる。このとき、第１接続部１４０のパッドＰ１〜Ｐ６と第２接続部１３００のパッドＰａ１〜Ｐａ６との間には接続部材１６０が形成されることができ、接続部材１６０はＡＣＦ（Ａｎｉｓｏｔｒｏｐｉｃ  Ｃｏｎｄｕｃｔｉｖｅ  Ｆｉｌｍ）であることができる。また、上述したＡＣＦは、熱硬化性レジン及び導電性ボール（ｂａｌｌ）からなることができる。
【００４７】
第１接続部１４０のパッドＰ１〜Ｐ６と第２接続部１３００のパッドＰａ１〜Ｐａ６において、対応するパッド同士は接続部材１６０によって接続されることができる。
【００４８】
図５は本発明のタッチパネルの他の実施形態の概略的な分解斜視図である。
【００４９】
図５を参照すると、本発明のタッチパネルの基板部は、複数の基板１１０ａ、１１０ｂ、１１０ｃを備えることができる。図面の基板部には第１、第２及び第３基板１１０ａ、１１０ｂ、１１０ｃが示されているが、これに限定されず、少なくとも２つの基板以上を備えることもできる。
【００５０】
第１、第２及び第３基板１１０ａ、１１０ｂ、１１０ｃの間にはラミネーション（ｌａｍｉｎａｔｉｏｎ）層１５０ａ、１５０ｂがそれぞれ形成されることができる。第１ラミネーション層１５０ａは、第１基板１１０ａと第２基板１１０ｂとの間に形成されることができ、第１基板１１０ａと面積及び形状が同一であることができる。また、第２ラミネーション層は、第２基板１１０ｂと第３基板１１０ｃとの間に形成されることができ、第２基板１１０ｂと面積及び形状が同一であることができる。
【００５１】
図６ａ及び図６ｂは図５に示された本発明のタッチパネルに採用された接続部の正面図及び側面図である。
【００５２】
図６ａ及び図６ｂを参照すると、接続部１４０は、第１、第２及び第３基板１１０ａ、１１０ｂ、１１０ｃそれぞれの一側面から延長形成された第１、第２及び第３延長部１１１ａ、１１１ｂ、１１１ｃに少なくとも２つのパッド（Ｐ１、Ｐ２）、（Ｐ３、Ｐ４）、（Ｐ５、Ｐ６）が少なくとも１列に配列される第１、第２及び第３接続ユニット１４０ａ、１４０ｂ、１４０ｃを備えることができる。図面には、２つのパッド（Ｐ１、Ｐ２）、（Ｐ３、Ｐ４）、（Ｐ５、Ｐ６）が少なくとも１列に配列されるように示されているが、これに限定されず、２つ以上のパッドが１列に配列されることができ、複数のパッドがそれぞれ複数の行に配列されることもできる。
【００５３】
第１、第２及び第３延長部１１１ａ、１１１ｂ、１１１ｃは、側面から積層された形状をみたとき、階段状に形成されることができる。
【００５４】
図７ａ及び図７ｂは図５に示された本発明のタッチパネルの接続部と制御部の接続部が結合された図面である。
【００５５】
図７ａ及び図７ｂを参照すると、本発明のタッチパネルの第１接続部１４０は、制御部１０００の第２接続部１３００と電気的に接続されることができる。このとき、第１接続部１４０の第１、第２及び第３接続ユニット１４０ａ、１４０ｂ、１４０ｃの各パッド（Ｐ１、Ｐ２）、（Ｐ３、Ｐ４）、（Ｐ５、Ｐ６）と第２接続部１３００の第１、第２及び第３接続ユニット１３００ａ、１３００ｂ、１３００ｃの各パッド（Ｐａ１、Ｐａ２）、（Ｐａ３、Ｐａ４）、（Ｐａ５、Ｐａ６）との間には接続部材１６０が形成されることができ、接続部材１６０はＡＣＦであることができる。
【００５６】
第１接続部１４０の第１、第２及び第３接続ユニット１４０ａ、１４０ｂ、１４０ｃの各パッド（Ｐ１、Ｐ２）、（Ｐ３、Ｐ４）、（Ｐ５、Ｐ６）と第２接続部１３００の第１、第２及び第３接続ユニット１３００ａ、１３００ｂ、１３００ｃの各パッド（Ｐａ１、Ｐａ２）、（Ｐａ３、Ｐａ４）、（Ｐａ５、Ｐａ６）において、対応するパッド同士は接続部材１６０によって接続されることができる。
【００５７】
第１接続部１４０の第１、第２及び第３接続ユニット１４０ａ、１４０ｂ、１４０ｃが階段状に形成されることにより、第２接続部１３００の第１、第２及び第３接続ユニット１３００ａ、１３００ｂ、１３００ｃも側面から積層された形状をみたとき、階段状に形成されることができる。ただし、その結合を考慮すると、第１接続部１４０の第１、第２及び第３接続ユニット１４０ａ、１４０ｂ、１４０ｃの階段状とは逆の階段状を有するように形成されることができる。
【００５８】
上記の通り、本発明によると、パッドが複層または複数の行に形成されてＡＣＦの接着面積を拡大することができるため、接着力及び耐久性を向上させることができるようになる。
【００５９】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００６０】
１００  タッチパネル
１１０  基板（第１基板部）
１２０  センサ部
１３０  配線部
１４０  接続部（第１接続部）
１５０ａ、１５０ｂ  ラミネーション層
１６０  接続部材
１０００  制御部
１１００  第２基板部
１２００  信号処理部
１３００  第２接続部
【図１】
2015138543.tif 000003
【図２ａ】
2015138543.tif 000004
【図２ｂ】
2015138543.tif 000005
【図３】
2015138543.tif 000006
【図４ａ】
2015138543.tif 000007
【図４ｂ】
2015138543.tif 000008
【図５】
2015138543.tif 000009
【図６ａ】
2015138543.tif 000010
【図６ｂ】
2015138543.tif 000011
【図７ａ】
2015138543.tif 000012
【図７ｂ】
2015138543.tif 000013